(57)【要約】【課題】背用フレーム材によってロッキング機能を確保している椅子において、座の前傾動を簡単な構造によって抑止する。【手段】座１は、ベース７から立設した丸棒製の座支持フレーム体２７で支持されている。座支持フレーム体２７は上水平部２７ｂを有しており、座１は、上水平部２７ｂに後傾動可能に連結されている。座支持フレーム体２７の左右上水平部２７ｂには、前向きの張り出し部３１が固着されている。背もたれはベース７に固着した左右の背用フレーム材４に取り付けられており、背もたれは背用フレーム材４の弾性に抗して後傾動する。座１は座支持フレーム体２７の左右の上水平部２７ｂを中心にして後傾動し得る。また、張り出し部３１の存在により、座１の安定性が向上すると共に、座１は前傾不能に保持されている。【選択図】図３
2008093107.tif 000002
【特許請求の範囲】
【請求項１】
座及び背もたれと、座の下方に配置したベースと、前記ベースに固定されていて座の下面に向けて上向きに突出した座支持フレーム体と、前記背もたれの後傾動を弾性的に支持する弾性支持手段とを備えており、前記座は、前記座支持フレーム体の上端部に、側面視で傾動し得る状態に取り付けられている、
椅子。
【請求項２】
前記背もたれは、前記ベースに固定された背用フレーム材に取り付けられており、前記背用フレーム材を着座した人が背もたれに凭れ掛かると撓み変形する強度に設定することにより、前記背用フレーム材を前記弾性支持手段と成している、
請求項１に記載した椅子。
【請求項３】
前記座支持フレーム体に、当該座支持フレーム体の上端を中心にして座が前傾することに対して抵抗として作用する前向き張り出し部を設けている、
請求項１又は２に記載した椅子。
【請求項４】
前記座支持フレーム体は棒材製であり、ベースから上向きに延びる左右一対の支柱部と、左右立ち上がりの上端から左右外向きに延びる上水平部とを備えており、前記上水平部は、当該上水平部を中心にして座が傾動し得るように軸受け部材を介して座の下面に連結されており、更に、前記張り出し部は平面視前向き凸の形状に形成されていて前記左右の上水平部又は左右支柱部に固着されている、
請求項３に記載した椅子。
【発明の詳細な説明】
【技術分野】
【０００１】
本願発明は椅子に関するものであり、特に好適には、背もたれがフレームで支持されていてロッキング性が付与されている椅子に関するものである。
【背景技術】
【０００２】
比較的簡易な構造の椅子として、背もたれを棒材やパイプ材から成るフレーム装置に取り付けたものがある。そして、このタイプの椅子において、着座した人のもたれかかりによって背もたれが後傾するロッキング機能を持たせること、換言すると、フレーム装置の弾性変形を利用して背もたれにロッキング機能を持たせることが行われている。
【０００３】
その例として特許文献１には、フレーム装置を回動可能な平行リンク機構によってベースに取り付けることが記載されているが、このものは座と背もたれとが全体として後方にスライドする一種の揺動椅子であり、高いロッキング機能は期待できず、また、事務用や会議室用には適さないと言える。
【０００４】
これに対して本願出願人は、特許文献２，３において、フレーム装置をベース（脚を含む）に取り付けると共に、座が前後動することを許容したものを開示した。
【特許文献１】特表平９−５０２６３１号公報
【特許文献２】特開２００６−２３９０７９号公報（図４（Ｄ）〜（Ｅ））
【特許文献３】特開２００６−２３９０８０号公報
【発明の開示】
【発明が解決しようとする課題】
【０００５】
特許文献２，３に開示した椅子の特徴の一つはフレーム装置が大きく弾性変形するように配慮されていることがあり、このため高いロッキング機能を発揮しうる。また、背もたれの後傾動に連動して座は前進動するため、ロッキング状態での快適さも向上できるといえる。本願発明はこれらの先願発明から派生したものであり、ロッキング状態での快適性をより高めつつ、座の支持強度も高めることを主たる課題とするものである。
【課題を解決するための手段】
【０００６】
請求項１の発明に係る椅子は、座及び背もたれと、座の下方に配置したベースと、前記ベースに固定されていて座の下面に向けて上向きに突出した座支持フレーム体と、前記背もたれの後傾動を弾性的に支持する弾性支持手段とを備えており、前記座は、前記座支持フレーム体の上端部に、側面視で傾動し得る状態に取り付けられている。
【０００７】
請求項２の発明は、請求項１において、前記背もたれは、前記ベースに固定された背用フレーム材に取り付けられており、前記背用フレーム材を着座した人が背もたれに凭れ掛かると撓み変形する強度に設定することにより、前記背用フレーム材を前記弾性支持手段と成している。
【０００８】
請求項３の発明では、請求項１又は２において、前記座支持フレーム体に、当該座支持フレーム体の上端を中心にして座が前傾することに対して抵抗として作用する前向き張り出し部を設けている。
【０００９】
請求項４の発明は、請求項３において、前記座支持フレーム体は棒材製であり、ベースから上向きに延びる左右一対の支柱部と、左右立ち上がりの上端から左右外向きに延びる上水平部とを備えており、前記上水平部は、当該上水平部を中心にして座が傾動し得るように軸受け部材を介して座の下面に連結されており、更に、前記張り出し部は平面視前向き凸の形状に形成されていて前記左右の上水平部又は左右支柱部に固着されている。
【発明の効果】
【００１０】
本願発明において、座支持フレーム体はベースに固定されているため、請求項２のように背用フレーム材を背もたれの弾性支持手段に兼用するにおいて、背用フレーム材はその長さを長くして弾性変形し易くすることが可能となり、その結果、ロッキング機能を向上させることが可能になる。
【００１１】
しかも座は背もたれの後傾動に連動して後傾動し得るため、ロッキング状態での快適さを向上させることができる。また、実施形態のように座支持フレーム体を平面視でベースの外側において座に取り付けると、取り付け作業を容易に行える利点がある。
【００１２】
請求項２のように構成すると、背用フレーム材は背もたれの取り付け部材とロッキング用弾性支持手段とに兼用されるため、構造が簡単化になる。
【００１３】
ところで、人が椅子に腰掛ける場合、座の前端寄りの部位に体重を掛けて浅く腰掛けたり、或いは、深く腰掛けた状態で身体を前にかがめたりということがあり、このため座には前傾させるような外力が作用することがある。従って、前傾を防止又は抑止して部材の変形や破損を防止する手段を講じる必要がある。
【００１４】
この点、請求項３のように構成すると、座支持フレーム体に設けた前向きの張り出し部で座の前傾動が阻止されるため、座を安定した状態に保持できると共に、部材の破損も防止できる。また、請求項４のように座支持フレーム体の素材として棒材を採用すると、加工を簡単に行える利点がある。
【発明を実施するための最良の形態】
【００１５】
(1).第１実施形態の概要
まず、図１〜図４に基づいて概要を説明する。図１のうち（Ａ）は前方から見た斜視図、（Ｂ）は後方から見た斜視図、図２のうち（Ａ）は平面図、（Ｂ）は正面図、（Ｃ）は右側面図、図３は椅子の縦断側面図、図４は座と背もたれとを省略した平面図である。
【００１６】
椅子は、一体に連結された座１及び背もたれ２と、これらを支持する脚３と、背もたれ２をロッキング可能に保持するための左右の背用フレーム装置４とを備えている。脚３は、平面視で放射方向に延びる複数本の枝足３ａと脚支柱としてのガスシリンダ５とを備えており、枝足３ａの先端にはキャスター６を設けている。ガスシリンダ５の上端には下向き円形のベース７を固着しており、ベース７には、ガスシリンダ５のロックを解除するためレバー８を取り付けている。なお、ベース７は円形に限らず任意の形態を選択できる。
【００１７】
図３に示すように、座１は、合板（木板）製の座アウターシェル９と、座アウターシェル９の上面に重ねて固定した樹脂製の座インナーシェル１０と、座インナーシェル１０の上面に張った座クッション１１とで構成されている。他方、背もたれ２は、合板（木板）製の背アウターシェル１２と、その前側に配置された背インナーシェル１３と、背インナーシェル１３の前面に張った背クッション１４とで構成されている。
【００１８】
座１の後部１ａは側面視で緩く湾曲しながら若干の寸法だけ立ち上がっている。従って、座１の後部１ａで背もたれ２の下部が構成されているとも言える。そして、図２（Ｂ）に示すように、背もたれ２と座１とはヒンジ１５によって屈曲可能に連結されている。
【００１９】
左右の背用フレーム装置４はそれぞれ２本の単位部材（金属製の棒材又はパイプ材）１６，１７で構成されている。背用フレーム装置４は座１の左右外側に位置した主部４ａを有しており、主部４ａは、前端を境にして上部を構成する後傾部４ｂと、前端を境にして下部を構成する前傾部４ｃとで構成されており、全体として後ろ向きに開口したＶ字状になっている。後傾部４ｂには肘掛け１８を取り付けている。
【００２０】
主部４ａを構成する後傾部４ｂの後端には、背もたれ２におけるインナー部材１３の背面に回り込む上連結部４ｄが一体に形成されており、上連結部４ｄが背もたれ２のインナー部材１１に相対回動可能に連結されている。
【００２１】
例えば図４に示すように、左右背用フレーム装置４を構成する単位部材１６、１７には、座１の下方に入り込む左右横長の下内向き部１６ａ，１７ａが曲げ形成されている。各下内向き部１６ａ，１７ａは前向き部１６ｂ，１７ｂを有しており、前向き部１６ｂ，１７ｂがベース７に固着されている。背用フレーム装置４が上記の形態であることにより、人が背もたれ２に凭れ掛かると、背もたれ２は主として背用フレーム装置４の弾性に抗して後傾動する。換言すると、背用フレーム装置４の弾性変形によって背もたれ２にロッキング機能が付与されている。
【００２２】
(2).ベースの詳細・座の取り付け構造
次に、従前の図に加えて図５以下の図面も参照して座１の下方部の詳細を説明する。図５はベース７の縦断面図、図６は図５のVI−VI視断面図、図７は図６の VII-VII視断面図、図８は図５の VIII-VIII視断面図である。
【００２３】
ベース７は円筒体２１を備えており、この円筒体２１の内部に上板２２，中間板２３，下板２４が配置されており、各板２２，２３，２４は円筒体２１に溶接によって固着されている。各板２２，２３，２４の中心部にブッシュ２５が溶接によって固着されており、ブッシュ２５にガスシリンダ５の上端部（正確にはガスシリンダにおける昇降体の上端部）が固着されている。
【００２４】
例えば図３，４に示すように、座アウターシェル９の下方には、ベース７の内部に一部が入り込んだ上下長手の左右一対のストッパーロッド２６が配置されている。ストッパーロッド２６の上端には水平状の支持板２８が溶接によって固着されており、支持板２８が座アウターシェル９にビスで固定されている。
【００２５】
また、例えば図５，６に示すように、ベース７における下板２４には、ブッシュ２５を左右及び後部から囲う座支持フレーム体２７が溶接によって固着されている（なお、図５では座支持フレーム体２７の上面は中間板２３に重なった状態に描いているが、実際には、図７に示すように座支持フレーム体２７と中間板２３との間には隙間が空いている。）。座支持フレーム体２７は棒鋼等の丸棒材で製造されている。
【００２６】
座支持フレーム体２７には、側面視前傾姿勢でかつ正面視では左右に広がりながら立ち上がった支柱部２７ａが形成されており、支柱部２７ａの上端には左右横向きの上水平部２７ｂが一体に形成されている。支柱部２７ａは側面視において若干の角度で前傾している。このため、着座した人が背もたれ２に凭れ掛かったときに座１を前方に押し勝手となすことにより（座支持フレーム体２７の支柱部２７ａも多少は弾性変形し得る）、座１と背もたれ２との後傾動が円滑になっている。
【００２７】
座支持フレーム体２７の上水平部２７ｂは平面視でベース７の左右外側にのびており、上水平部２７ｂは、ベース７の外側の部位において軸受け部材２９で座アウターシェル９に連結されている。軸受け部材２９はカバー３０で覆われている。前記カバー３０は、座アウターシェル８と上水平部２７ｂとの間に嵌まる片持ち梁状のアーム部３０ａと、軸受け部材２９の下面に重なるリブ３０ｂとを備えており、図４に矢印Ａで示すように、上水平部２７ｂに外側から差し込むことによって取り付けられる。このためビスのような締結具は不要である。
【００２８】
そして、座支持フレーム体２７の上水平部２７ｂと座アウターシェル８との間にカバー３０のアーム部３０ａがきっちり差し込まれ、かつ、座支持フレーム体２７における上水平部２７ａの下面が軸受け部材２９の底面に当接している。このため、座支持フレーム体２７はガタ付きのない状態で座アウターシェル８に保持されている。
【００２９】
座支持フレーム体２７における左右の上水平部２７ｂの付け根部には、平面視で前向き凸状（換言すると弓形）に湾曲した張り出し部３１が溶接によって固着されている。従って、張り出し部３１によっても座１が支持されている。また、座１は座支持フレーム体２７の上水平部２７ｂを中心にして背用フレーム装置４の弾性に抗して前傾動し得るが、座１の前傾動は張り出し部３１によって阻止される。このため背用フレーム装置４が変形したり破損したりすることはない。
【００３０】
座１の前傾を阻止する機能のみを達成するためには、例えば座支持フレーム体２７における上水平部２７ｂに別々に張り出し部を溶接によって固着したり、或いは、上水平部２７ｂの先端に前向きの張り出し部を折り曲げ形成したりすることも可能であるが、本実施形態のように張り出し部３１を左右の上水平部２７ｂに溶接すると、座支持フレーム体２７は一種のループ構造になるため強度を格段に向上できる利点である。
【００３１】
なお、張り出し部３１は支柱部２７ａの上端部に溶接しても良い。また、座１を前傾させる力が作用したときに前向き張り出し部３１が多少弾性変形することは差し支えない。
【００３２】
前記ストッパーロッド２６の下端は自由端になっており、非着座状態では、ストッパーロッド２６の下端はベース７における中間板２３の上面近くに位置している。そして、座１は座支持フレーム体２７の弾性変形に抗して後傾可能であり、座１が後傾するとストッパーロッド２６は下降動し、座１の最大後傾角度は、ストッパーロッド２６がベース７の下板２４に当ることで規制される。
【００３３】
ベース７の上板２２には、ストッパーロッド２６の回動を許容するための長穴２２ａ（図４参照）が空いている。また、ベース７の中間板２３は、ストッパーロッド２６と干渉しないように切欠かれている。
【００３４】
ベース７の筒体２１は前向きの単位部材１６，１７の前向き端部１６ｂ，１７ｂと干渉しないように切欠かれている。また、図６に示すようにベース７の中間板２３には前向きの端部１６ｂ，１７ｂと平面視で重なる長穴３２及び切欠き部３３が形成されているが、これは、前向きの端部１６ｂ，１７ｂを溶接するに際しての肉盛りを容易ならしめるための措置である。図６及び図７に示す符号３４は脚支柱５のプッシュパルブ、符号３５はプッシュパルブ３４を押す操作片、符号３６は昇降操作レバー８を回動可能に取り付けるための押さえ部材である。
【００３５】
(3).第２実施形態
図１３では第２実施形態を示している。この実施形態では、脚３は４本の足３ｂを有するフレーム構造になっている。ベース７よりも上方の部分は本質的には第１実施形態と同じである。但し、第１実施形態の昇降操作レバー８は設けていない（この第２実施形態では昇降操作レバーはそもそも必要がない。）。
【００３６】
脚３をパイプや棒材でフレーム構造と成す場合、従来から様々の形態が提案されている。本願発明は、それら従来のいずれの脚にも適用できる。もとより、新たに創作されるであろう脚にも適用できる。
【００３７】
(4).その他
本願発明は上記の各実施形態の他にも様々に具体化できる。例えば椅子を構成する座、背もたれ、脚、ベースの各要素の形態は自由に設定できる。また、本願発明は移動式の椅子のみでなく、床に固定された椅子にも適用できることはいうまでもない。また、本願発明における「ベース」は座支持フレーム体を介して座を支持する部材の総称であり、従って、脚がベースを兼用することもある。
【００３８】
また、背もたれの取り付け手段として背用フレーム材を採用する場合、左右の背用フレーム材が１本の部材又は３本以上の部材からなっていても良いし、また、側面形状は逆Ｌ字状（例えば特許文献２，３のような形状）や横向きＵ字状など任意に形態に設定できる。
【図面の簡単な説明】
【００３９】
【図１】第１実施形態に係る椅子の斜視図である。
【図２】椅子の平面図、正面図、右側面図である。
【図３】椅子の縦断側面図である。
【図４】座と背もたれとを省略した平面図である。
【図５】ベースの縦断面図である。
【図６】図５のVI−VI視断面図である。
【図７】図６の VII-VII視断面図である。
【図８】図５の VIII-VIII視断面図である。
【図９】（Ａ）は図４の IX-IX視断面図、（Ｂ）はカバーの斜視図である。
【図１０】第２実施形態の斜視図である。
【符号の説明】
【００４０】
１  座
２  背もたれ
３  脚
４  背用フレーム装置
５  ガスシリンダ（脚支柱）
７  ベース
２７  座支持フレーム体
２７ａ  支柱部
２７ｂ  上水平部
２９  軸受け部材
３０  カバー
【図１】
2008093107.tif 000003
【図２】
2008093107.tif 000004
【図３】
2008093107.tif 000005
【図４】
2008093107.tif 000006
【図５】
2008093107.tif 000007
【図６】
2008093107.tif 000008
【図７】
2008093107.tif 000009
【図８】
2008093107.tif 000010
【図９】
2008093107.tif 000011
【図１０】
2008093107.tif 000012